(57)【要約】【課題】はんだブリッジが生じることなく、生産性に優れると共に、品質を容易に維持することが可能なＩＣモジュールを提供する。【解決手段】本体２と、本体の表面から突出するリード端子３と、本体に設けられ、本体の内部でリード端子に電気的に接続される保持部４ｂであって、他の電気部品の線材５を保持する保持部とを備えるＩＣモジュール１。ＩＣモジュール１は、他の電気部品の線材を保持する保持部を有するため、はんだ付け作業が不要となり、はんだブリッジが生じることなく、生産性に優れると共に、品質を容易に維持することが可能となる。保持部は、他の電気部品の線材を弾性的に把持するように構成してもよく、本体は、上面に穴２ａが穿設され、保持部は、穴の内部に収容され、金属材料からなる少なくとも一対の把持爪４ｃを備えることができる。保持部は、ＩＣモジュールの本体の上面に複数並置することができる。【選択図】図２
2013229460.tif 000002
【特許請求の範囲】
【請求項１】
本体と、
該本体の表面から突出するリード端子と、
前記本体に設けられ、該本体の内部で前記リード端子に電気的に接続される保持部であって、他の電気部品の線材を保持する保持部とを備えることを特徴とするＩＣモジュール。
【請求項２】
前記保持部は、前記他の電気部品の線材を弾性的に把持することを特徴とする請求項１に記載のＩＣモジュール。
【請求項３】
前記本体は、上面に穴が穿設され、
前記保持部は、前記穴の内部に収容され、金属材料からなる少なくとも一対の把持爪を備えることを特徴とする請求項２に記載のＩＣモジュール。
【請求項４】
前記保持部は、該ＩＣモジュールの本体の上面に複数並置されることを特徴とする請求項１、２又は３に記載のＩＣモジュール。
【発明の詳細な説明】
【技術分野】
【０００１】
本発明は、ＩＣモジュールに関し、特に、プリント基板に搭載され、他の電気部品の線材が接続されるＩＣモジュールに関する。
【背景技術】
【０００２】
従来のＩＣモジュ−ルとして、例えば、図４に示すものが存在する。このＩＣモジュール１１は、本体１２と、本体１２の側面に複数並置されるリード端子１３とを備え、リード端子１３上に他の電気部品（不図示）の線材１５をはんだ付けすることにより、他の電気部品とリード端子１３とを電気的に接続していた。しかし、このＩＣモジュール１１では、隣接するリード端子１３同士をはんだで電気的に接続してしまう、いわゆるはんだブッリジが起こり易いという問題があった。
【０００３】
そこで、特許文献１には、図５に示すように、リード端子１３に線材挿入穴１３ａを穿設し、この線材挿入穴１３ａに他の電気部品の線材１５を挿入した後はんだ付けを行うことで、はんだブッリジを防止するＩＣモジュール２１が提案されている。
【先行技術文献】
【特許文献】
【０００４】
【特許文献１】特開２００７−３３５５７９号公報
【発明の概要】
【発明が解決しようとする課題】
【０００５】
しかし、図５に示すＩＣモジュール２１においても、線材挿入穴１３ａに他の電気部品の線材１５を固定することが容易ではなく、はんだ付けを行う際に線材１５とリ−ド端子１３に直接はんだごてを当てるため、はんだごての当たり方によっては、依然としてはんだブッリジが生じるおそれがあった。
【０００６】
また、はんだ付け作業に時間を要するために非効率的であり、はんだ付け作業に要する時間の分だけ製造コストが増加するという問題があった。さらに、製品の品質を維持するためには、はんだ付け作業を行うにあたって、熟練した技術が必要であった。
【０００７】
そこで、本発明は、上記従来の技術に鑑みてなされたものであって、はんだブリッジが生じることなく、生産性に優れると共に、品質を容易に維持することが可能なＩＣモジュールを提供することを目的とする。
【課題を解決するための手段】
【０００８】
上記目的を達成するため、本発明は、ＩＣモジュールであって、本体と、該本体の表面から突出するリード端子と、前記本体に設けられ、該本体の内部で前記リード端子に電気的に接続される保持部であって、他の電気部品の線材を保持する保持部とを備えることを特徴とする。
【０００９】
そして、本発明によれば、他の電気部品の線材を保持する保持部を有するため、はんだ付け作業が不要となり、はんだブリッジが生じることがなく、生産性に優れると共に、品質を容易に維持することが可能となる。
【００１０】
上記ＩＣモジュールにおいて、前記保持部により、前記他の電気部品の線材を弾性的に把持することができ、種々の外径を有する線材に容易に対応することができる。
【００１１】
また、上記ＩＣモジュールにおいて、前記本体は、上面に穴が穿設され、前記保持部は、前記穴の内部に収容され、金属材料からなる少なくとも一対の把持爪を備えることができる。これにより、作業者は、他の電気部品の線材を本体の上面に穿設された穴に挿入するだけで簡単にリード端子と線材とを電気的に接続することができる。
【００１２】
さらに、上記ＩＣモジュールにおいて、前記保持部を、該ＩＣモジュールの本体の上面に複数並置することができ、位置的に好ましい位置にある保持部を選択的に用いることができる。
【発明の効果】
【００１３】
以上のように、本発明によれば、はんだブリッジが生じることがなく、生産性に優れると共に、品質を容易に維持することが可能なＩＣモジュールを提供することができる。
【図面の簡単な説明】
【００１４】
【図１】本発明に係るＩＣモジュール等を示し、（ａ）は斜視図、（ｂ）はＩＣモジュールを正面から見た部分断面図、（ｃ）はＩＣモジュールの側面から見た部分断面図である。
【図２】図１（ｂ）のＡ部詳細図であって、（ａ）は断面図、（ｂ）は上面図である。
【図３】図１に示すＩＣモジュールに線材を装着した状態を示す部分断面図であって、（ａ）は図１（ｂ）に対応し、（ｂ）は図１（ｃ）に対応する。
【図４】従来のＩＣモジュールの一例を示す斜視図である。
【図５】従来のＩＣモジュールの他の例を示す斜視図である。
【発明を実施するための形態】
【００１５】
次に、本発明の実施形態について図面を参照しながら詳細に説明する。
【００１６】
図１は、本発明に係るＩＣモジュールの一実施の形態を示し、このＩＣモジュール１は、上面に複数の穴２ａが穿設された直方体状の本体２と、本体２の両側面から突出する複数のリード端子３と、本体２の穴２ａの内部に設けられ、他の電気部品６の線材５をリード端子３に電気的に接続する金属端子４とで構成される。
【００１７】
金属端子４は、図２に示すように、上方が開口する有底円筒状の金属製の本体４ａと、本体４ａの内部に圧入される金属製のクリップ部（保持部）４ｂとで構成され、本体４ａの底部がリード端子３に当接することで、本体４ａとリード端子３と電気的に接続される。
【００１８】
クリップ部４ｂは、本体４ａを介してリード端子３と電気的に接続され、クリップ部４ｂの上端部から下方へ向かって湾曲しながら突出し、弾性を有する４つの把持爪４ｃが設けられる。
【００１９】
上記構成により、図２及び図３に示すように、金属端子４の本体４ａ内に他の電気部品６（図１参照）の線材５を挿入すると、クリップ４ｂの把持爪４ｃは、図２（ａ）の矢印方向に弾性変形して線材５の芯５ａを把持することができ、これによって、リード端子３と線材５との電気的接続を、はんだ付けを行うことなく容易に行うことができる。ここで、クリップ４ｂの把持爪４ｃは弾性を有するため、種々の外径を有する線材５に容易に対応することができる。
【００２０】
尚、上記実施の形態においては、４つの把持爪４ｃで線材５の芯５ａを把持したが、把持爪４ｃの数は４つに限定されることなく、少なくとも一対の把持爪で線材５の芯５ａを把持することができる。
【００２１】
また、金属端子４に代えて、導電性を有する金属材料以外の材料を使用することもでき、線材５の芯５ａをはんだ付けせずに保持することができれば、把持爪４ｃに限らず、他の構成を採用することもできる。
【符号の説明】
【００２２】
１  ＩＣモジュール
２  本体
２ａ  穴
３  リード端子
４  金属端子
４ａ  本体
４ｂ  クリップ
４ｃ  把持爪
５  線材
５ａ  芯
６  電気部品
【図１】
2013229460.tif 000003
【図２】
2013229460.tif 000004
【図３】
2013229460.tif 000005
【図４】
2013229460.tif 000006
【図５】
2013229460.tif 000007